(57)【要約】【課題】  従来と全く異なる構成により、携帯端末がそのセル内にのみ存在するまでセル半径を小さくすることが可能な通信システムの提供。【解決手段】  超小型基地局（ＨｏｍｅＢＴＳ）２４においてセル半径が最大に設定される。次に、超小型基地局２４の周囲に存在する携帯端末３１〜３３から通信可能な既設基地局（ＢＴＳ）２１〜２３の個数を通知させる。そして、複数の既設基地局と通信可能な携帯端末が存在する場合、超小型基地局２４においてセル半径が一段小さくされる。そして、再び超小型基地局２４の周囲に存在する携帯端末から通信可能な既設基地局の個数を通知させる。これを、既設基地局と通信可能な携帯端末が存在しなくなるまで実行し、存在しなくなった時の半径にセル半径が設定される。【選択図】      図１
2008109322.tif 000002
【特許請求の範囲】
【請求項１】
複数のセルと、各々のセルをカバーエリアとする複数の基地局と、各々の基地局と通信を行う複数の携帯端末とを含む通信システムであって、
前記基地局のうちの１つは、自セル周囲に存在する携帯端末に対し通信可能な他の基地局の個数を通知させる情報収集手段と、
前記収集した基地局の個数情報に基づいて自セルのセル半径を制御するセル半径制御手段とを含むことを特徴とする通信システム。
【請求項２】
前記セル半径制御手段は、他の基地局と通信可能な携帯端末の個数が零となる半径に自セルのセル半径を設定することを特徴とする請求項１記載の通信システム。
【請求項３】
前記基地局のうちの１つは、さらに自基地局とのみ通信可能な携帯端末の個数を記憶する記憶手段を含み、
前記セル半径制御手段は、前記セル半径の制御に伴い自基地局とのみ通信可能な携帯端末の個数が減少した場合に前記セル半径を一段前に戻すことを特徴とする請求項１または２記載の通信システム。
【請求項４】
前記基地局のうちの１つは超小型基地局（ＨｏｍｅＢＴＳ）であることを特徴とする請求項１から３いずれかに記載の通信システム。
【請求項５】
複数のセルと、各々のセルをカバーエリアとする複数の基地局と、各々の基地局と通信を行う複数の携帯端末とを含む通信システムにおける基地局であって、
前記基地局のうちの１つは、自セル周囲に存在する携帯端末に対し通信可能な他の基地局の個数を通知させる情報収集手段と、
前記収集した基地局の個数情報に基づいて自セルのセル半径を制御するセル半径制御手段とを含むことを特徴とする基地局。
【請求項６】
前記セル半径制御手段は、他の基地局と通信可能な携帯端末の個数が零となる半径に自セルのセル半径を設定することを特徴とする請求項５記載の基地局。
【請求項７】
前記基地局のうちの１つは、さらに自基地局とのみ通信可能な携帯端末の個数を記憶する記憶手段を含み、
前記セル半径制御手段は、前記セル半径の制御に伴い自基地局とのみ通信可能な携帯端末の個数が減少した場合に前記セル半径を一段前に戻すことを特徴とする請求項５または６記載の基地局。
【請求項８】
前記基地局のうちの１つは超小型基地局（ＨｏｍｅＢＴＳ）であることを特徴とする請求項５から７いずれかに記載の基地局。
【請求項９】
複数のセルと、各々のセルをカバーエリアとする複数の基地局と、各々の基地局と通信を行う複数の携帯端末とを含む通信システムのセル半径設定方法であって、
前記基地局のうちの１つは、自セル周囲に存在する携帯端末に対し通信可能な他の基地局の個数を通知させる情報収集ステップと、
前記収集した基地局の個数情報に基づいて自セルのセル半径を制御するセル半径制御ステップとを含むことを特徴とするセル半径設定方法。
【請求項１０】
前記セル半径制御ステップは、他の基地局と通信可能な携帯端末の個数が零となる半径に自セルのセル半径を設定することを特徴とする請求項９記載のセル半径設定方法。
【請求項１１】
前記基地局のうちの１つは、さらに自基地局とのみ通信可能な携帯端末の個数を記憶する記憶ステップを含み、
前記セル半径制御ステップは、前記セル半径の制御に伴い自基地局とのみ通信可能な携帯端末の個数が減少した場合に前記セル半径を一段前に戻すことを特徴とする請求項９または１０記載のセル半径設定方法。
【請求項１２】
前記基地局のうちの１つは超小型基地局（ＨｏｍｅＢＴＳ）であることを特徴とする請求項９から１１いずれかに記載のセル半径設定方法。
【請求項１３】
複数のセルと、各々のセルをカバーエリアとする複数の基地局と、各々の基地局と通信を行う複数の携帯端末とを含む通信システムのセル半径設定方法のプログラムであって、
前記基地局のうちの１つに設けられ、コンピュータに、自セル周囲に存在する携帯端末に対し通信可能な他の基地局の個数を通知させる情報収集ステップと、
前記収集した基地局の個数情報に基づいて自セルのセル半径を制御するセル半径制御ステップとを実行させるためのプログラム。
【発明の詳細な説明】
【技術分野】
【０００１】
本発明は、通信システム、基地局およびそのセル半径設定方法ならびにプログラムに関し、特に超小型基地局（ＨｏｍｅＢＴＳ：Home Base Transceiver Station)を含む通信システム、基地局およびそのセル半径設定方法ならびにプログラムに関する。
【背景技術】
【０００２】
現在の通信システムでは携帯電話が通話可能なセル内に存在しても、そのセルに隙間が生じ通話ができなくなることが珍しくない。そのため、通話不可地帯でも携帯電話の使用者が手軽に通話可能にすることができる装置を求める声は多い。
【０００３】
このような需要に応えるべく、超小型基地局（ＨｏｍｅＢＴＳ）の検討が行われている。超小型基地局（ＨｏｍｅＢＴＳ）は家庭用、コンシューマ向けの基地局で持ち運びが可能な程度の超小型の基地局装置であり、携帯端末の普及に伴い今後大規模な普及が見込まれている。
【０００４】
通常、既設基地局（ＢＴＳ）は通話可能範囲（セル）が重なるように設置されており、携帯端末は通信可能な複数の既設基地局（ＢＴＳ）の情報を有している。
【０００５】
超小型基地局（ＨｏｍｅＢＴＳ）を設置し交信する場合、必要なセル半径は設置場所により様々である。今、超小型基地局（ＨｏｍｅＢＴＳ）のセル半径を固定としてしまうと、既設基地局（ＢＴＳ）のセルと超小型基地局（ＨｏｍｅＢＴＳ）のセルが重なり合うことが考えられる。
【０００６】
このような場合、本来必要のない部分へセルを広げていることになるため、消費電力を浪費するばかりでなく、本来の使用者以外の人に回線を使われてしまう可能性が増えることになる。
【０００７】
家庭で使用することを考えると、可能な限り消費電力を抑えることは重要であり、セル半径は最低限に設定されることが好ましい。また、セル半径の制御は本来の使用者以外の人に邪魔される可能性を下げることにもつながり、ひいては超小型基地局（ＨｏｍｅＢＴＳ）の商品価値を上げることにつながる。
【０００８】
一方、セル半径をあまり狭めてしまうと通話ができない箇所が発生して不便である。
【０００９】
このように、セル半径を必要最低限に設定するのは困難という課題があった。
【００１０】
そこで、この課題を解決するための発明が特許文献１に開示されている。これは、セル半径を段階的に小さくし、エリア外となる移動機が現れると、その移動機は基地局に変更停止信号を送信して、セル半径変更を中止させるというものである。
【００１１】
また、この種の通信システムの他の例が特許文献２および３に開示されている。
【００１２】
【特許文献１】特開２００３−０８７８４０号公報（段落００６２および図７）
【特許文献２】特開２００５−３２８１５２号公報
【特許文献３】特開２００６−１０１４４２号公報
【発明の開示】
【発明が解決しようとする課題】
【００１３】
特許文献１開示の発明は、セル縮小に伴い、エリア外となる移動機は、他の基地局へ接続が可能であれば、基地局に変更停止信号を送信しないわけであるから、変更停止信号を送信するということは、移動機が、今セル半径を小さくしつつある基地局としか通信できないことを意味する。したがって、これは、「他の基地局と通信可能な移動機が存在しなくなるまでセル半径を小さくすること」を意味し、本発明の目的と共通する。
【００１４】
しかし、本発明における基地局は、携帯端末から他に通信可能な基地局が存在するか否かの情報を受け取り、その情報を基にセル半径を小さくする構成であり、このような構成は特許文献１開示の発明に全く開示されていない。したがって、特許文献１開示の発明は本発明と構成が全く相違する。
【００１５】
また、このような構成は上述の特許文献２および３にも開示されていない。
【００１６】
そこで本発明の目的は、従来と全く異なる構成により、携帯端末がそのセル内にのみ存在するまでセル半径を小さくすることが可能な通信システム、基地局およびそのセル半径設定方法ならびにプログラムを提供することにある。
【課題を解決するための手段】
【００１７】
前記課題を解決するために本発明による通信システムは、複数のセルと、各々のセルをカバーエリアとする複数の基地局と、各々の基地局と通信を行う複数の携帯端末とを含む通信システムであって、前記基地局のうちの１つは、自セル周囲に存在する携帯端末に対し通信可能な他の基地局の個数を通知させる情報収集手段と、前記収集した基地局の個数情報に基づいて自セルのセル半径を制御するセル半径制御手段とを含むことを特徴とする。
【００１８】
また、本発明による基地局は、複数のセルと、各々のセルをカバーエリアとする複数の基地局と、各々の基地局と通信を行う複数の携帯端末とを含む通信システムにおける基地局であって、前記基地局のうちの１つは、自セル周囲に存在する携帯端末に対し通信可能な他の基地局の個数を通知させる情報収集手段と、前記収集した基地局の個数情報に基づいて自セルのセル半径を制御するセル半径制御手段とを含むことを特徴とする。
【００１９】
また、本発明によるセル半径設定方法は、複数のセルと、各々のセルをカバーエリアとする複数の基地局と、各々の基地局と通信を行う複数の携帯端末とを含む通信システムのセル半径設定方法であって、前記基地局のうちの１つは、自セル周囲に存在する携帯端末に対し通信可能な他の基地局の個数を通知させる情報収集ステップと、前記収集した基地局の個数情報に基づいて自セルのセル半径を制御するセル半径制御ステップとを含むことを特徴とする。
【００２０】
また、本発明によるプログラムは、複数のセルと、各々のセルをカバーエリアとする複数の基地局と、各々の基地局と通信を行う複数の携帯端末とを含む通信システムのセル半径設定方法のプログラムであって、前記基地局のうちの１つに設けられ、コンピュータに、自セル周囲に存在する携帯端末に対し通信可能な他の基地局の個数を通知させる情報収集ステップと、前記収集した基地局の個数情報に基づいて自セルのセル半径を制御するセル半径制御ステップとを実行させるためのプログラムであることを特徴とする。
【００２１】
ここで本発明の作用を述べる。本発明における超小型基地局（ＨｏｍｅＢＴＳ）ではまず、セル半径が最大に設定される。次に、超小型基地局（ＨｏｍｅＢＴＳ）の周囲に存在する携帯端末から通信可能な既設基地局（ＢＴＳ）の個数を通知させる。そして、複数の既設基地局（ＢＴＳ）と通信可能な携帯端末が存在する場合、超小型基地局（ＨｏｍｅＢＴＳ）においてセル半径が一段小さくされる。そして、再び超小型基地局（ＨｏｍｅＢＴＳ）の周囲に存在する携帯端末から通信可能な既設基地局（ＢＴＳ）の個数を通知させる。これを、既設基地局（ＢＴＳ）と通信可能な携帯端末が存在しなくなるまで実行し、存在しなくなった時の半径にセル半径が設定される。
【発明の効果】
【００２２】
本発明によれば、上記構成を含むため、従来と全く異なる構成により、携帯端末がそのセル内にのみ存在するまでセル半径を小さくすることが可能となる。
【発明を実施するための最良の形態】
【００２３】
以下、本発明の実施例について添付図面を参照しながら説明する。
【実施例１】
【００２４】
図１は本発明に係る通信システムの第１実施例の構成図である。同図を参照すると、通信システム１は、セル１１〜１４と、セル１１をカバーエリアとする既設基地局（ＢＴＳ）２１と、セル１２をカバーエリアとする既設基地局（ＢＴＳ）２２と、セル１３をカバーエリアとする既設基地局（ＢＴＳ）２３と、セル１４をカバーエリアとする超小型基地局（ＨｏｍｅＢＴＳ）２４と、セル１２および１４に存在する携帯端末３１と、セル１１および１４に存在する携帯端末３２と、セル１４のみに存在する携帯端末３３とを含んで構成される。
【００２５】
すなわち、本発明は既設基地局（ＢＴＳ）２１〜２３と、超小型基地局（ＨｏｍｅＢＴＳ）２４とを含む通信システムである。
【００２６】
同図には、一例として、超小型基地局（ＨｏｍｅＢＴＳ）２４のセル１４の半径が最大の場合のセル１４ａと、最小の場合のセル１４ｂとが示されている。そして、最大のセル１４ａには携帯端末３１〜３３の全てが存在し、最小の場合のセル１４ｂには携帯端末３３のみが存在する場合が示されている。
【００２７】
図２は本発明に係る超小型基地局（ＨｏｍｅＢＴＳ）２４の一例の構成図である。同図を参照すると、超小型基地局（ＨｏｍｅＢＴＳ）２４は、アンテナ５１および５２と、送信部５３と、受信部５４と、制御部５５と、プログラム格納部５６と、記憶部５７とを含んで構成される。
【００２８】
制御部５５は送信部５３と、受信部５４と、プログラム格納部５６と、記憶部５７とを制御する。
【００２９】
また、プログラム格納部５６には後述するセル半径設定方法のプログラムが格納され、記憶部５７には少なくとも後述する所定携帯端末の個数が記憶される。
【００３０】
次に、通信システムの第１実施例の動作について説明する。図３は本発明に係る通信システムの第１実施例の動作を示すフローチャートである。前提条件として、携帯端末３１〜３３が図１に示すセル１１〜１４に存在するものとする。
【００３１】
まず、超小型基地局（ＨｏｍｅＢＴＳ）２４がセル１１〜１３のカバーエリア以外の場所、一例として家や店等の屋内、に設置される（ステップＳ１）。
【００３２】
次に、超小型基地局（ＨｏｍｅＢＴＳ）２４に電源が投入される（ステップＳ２）。
【００３３】
次に、超小型基地局（ＨｏｍｅＢＴＳ）２４はセル１４の半径を最大に設定する（ステップＳ３）。このときのセル１４のカバーエリアをセル１４ａ（図１参照）とする。
【００３４】
次に、超小型基地局（ＨｏｍｅＢＴＳ）２４から周囲に存在する携帯端末３１〜３３に対し通信可能な既設基地局（ＢＴＳ）の個数を通知させる（ステップＳ４）。
【００３５】
初期状態では携帯端末３１が通信可能な既設基地局（ＢＴＳ）として既設基地局（ＢＴＳ）２２を１個有し、携帯端末３２が既設基地局（ＢＴＳ）２１を１個有している。
【００３６】
したがって、超小型基地局（ＨｏｍｅＢＴＳ）２４は既設基地局（ＢＴＳ）と通信可能な携帯端末が存在すると判断し（ステップＳ５にて“Ｙｅｓ”）、セル半径を所定長小さくする（ステップＳ６）。このときのセル１４のカバーエリアをセル１４ｂ（図１参照）とする。
【００３７】
そして、ステップＳ４に戻る。ステップＳ４では、超小型基地局（ＨｏｍｅＢＴＳ）２４から周囲に存在する携帯端末に対し通信可能な既設基地局（ＢＴＳ）の個数を通知させる。
【００３８】
この時点で、既設基地局（ＢＴＳ）と通信可能な携帯端末の個数が零となったので（ステップＳ５にて“Ｎｏ”）、すなわち超小型基地局（ＨｏｍｅＢＴＳ）２４とのみ通信可能な携帯端末３３しか存在しなくなったので（図１参照）、超小型基地局（ＨｏｍｅＢＴＳ）２４はそのときの半径にセル半径を設定する（ステップＳ７）。すなわち、セル１４のエリアはセル１４ｂに設定される。
【００３９】
次に、超小型基地局（ＨｏｍｅＢＴＳ）２４は、既設基地局（ＢＴＳ）と同様の基地局として交信を開始する（ステップＳ８）。
【００４０】
なお、上記超小型基地局（ＨｏｍｅＢＴＳ）２４における処理は、超小型基地局（ＨｏｍｅＢＴＳ）２４内の制御部５５により実行される。
【００４１】
以上説明したように、本発明の第１実施例によれば、従来と全く異なる構成により、携帯端末が超小型基地局（ＨｏｍｅＢＴＳ）２４のセル１４内にのみ存在するまでセル半径を小さくすることが可能となる。
【００４２】
すなわち、セルを各環境下で超小型基地局（ＨｏｍｅＢＴＳ）２４が自動で設定するため、携帯端末の使用者は手軽に使用場所を変更することができ、また周囲の環境が知らないうちに変わったとしても携帯端末がつながらなくなるのを防止することができる。一方、消費電力を減らすことで超小型基地局（ＨｏｍｅＢＴＳ）２４の商品価値を上昇させることができる。
【実施例２】
【００４３】
図４は本発明に係る通信システムの第２実施例の構成図である。なお、同図において、図１と同様の構成部分には同一番号を付し、その説明を省略する。
【００４４】
図４の通信システム４１は、図１と異なり、セル１４のみに存在する携帯端末が、一例として、携帯端末３１および３３の２個存在する場合を示している。また、超小型基地局（ＨｏｍｅＢＴＳ）２４から携帯端末３１までの距離は、超小型基地局（ＨｏｍｅＢＴＳ）２４から携帯端末３３までの距離よりも長く、かつ超小型基地局（ＨｏｍｅＢＴＳ）２４から携帯端末３１までの距離は、超小型基地局（ＨｏｍｅＢＴＳ）２４から携帯端末３２までの距離と同等であるものとする。
【００４５】
この場合、第１実施例のように、既設基地局（ＢＴＳ）と通信可能な携帯端末が存在するか否かのみによって（図３のステップＳ５参照）、セル半径を小さくすると（図３のステップＳ６５参照）、携帯端末３２がセル１４のエリア外となったときに携帯端末３１もエリア外となるという不都合が生じる。
【００４６】
したがって、第１実施例の場合は現地調査等により、通話不可能地帯を予め調べておく必要がある。第２実施例はこの課題を解決することを目的としている。
【００４７】
次に、通信システムの第２実施例の動作について説明する。図５は本発明に係る通信システムの第２実施例の動作を示すフローチャートである。前提条件として、携帯端末３１〜３３が図４に示すセル１１、１３および１４に存在するものとする。
【００４８】
まず、超小型基地局（ＨｏｍｅＢＴＳ）２４がセル１１および１３のカバーエリア以外の場所に設置される（ステップＳ１１）。
【００４９】
次に、超小型基地局（ＨｏｍｅＢＴＳ）２４に電源が投入される（ステップＳ１２）。
【００５０】
次に、超小型基地局（ＨｏｍｅＢＴＳ）２４はセル１４の半径を最大１４ａ（図４参照）に設定する（ステップＳ１３）。このときのセル１４のカバーエリアをセル１４ａ（図４参照）とする。
【００５１】
次に、超小型基地局（ＨｏｍｅＢＴＳ）２４から周囲に存在する携帯端末３１〜３３に対し通信可能な既設基地局（ＢＴＳ）の個数を通知させる（ステップＳ１４）。
【００５２】
初期状態では、携帯端末３２のみが既設基地局（ＢＴＳ）２１を１個有している。
【００５３】
この段階で、超小型基地局（ＨｏｍｅＢＴＳ）２４は、超小型基地局（ＨｏｍｅＢＴＳ）２４とのみ通信可能な携帯端末が携帯端末３１および３３であるとの情報を得ている。そこで、超小型基地局（ＨｏｍｅＢＴＳ）２４の制御部５５は、記憶部５７に自局（ＨｏｍｅＢＴＳ）２４とのみ通信可能な携帯端末の数（本実施例では“２”）を記憶する（ステップＳ１５および図２参照）。
【００５４】
次に、超小型基地局（ＨｏｍｅＢＴＳ）２４は自局（ＨｏｍｅＢＴＳ）２４とのみ通信可能な携帯端末の数が減っているか否かを調べる（ステップＳ１６）。
【００５５】
初回のフローでは、この段階ではまだセル半径の制御を行っていないので、
携帯端末の数は減っていない（ステップＳ１６にて“Ｎｏ”）。
【００５６】
したがって、ステップＳ１７へ進み、超小型基地局（ＨｏｍｅＢＴＳ）２４は既設基地局（ＢＴＳ）と通信可能な携帯端末が存在するか否かを調べる。この段階では既設基地局（ＢＴＳ）と通信可能な携帯端末が一個（携帯端末３２）存在するので（ステップＳ１７にて“Ｙｅｓ”）、セル半径を所定長小さくする（ステップＳ１８）。このときのセル１４のカバーエリアをセル１４ｂ（図４参照）とする。
【００５７】
そして、ステップＳ１４に戻る。ステップＳ１４では、超小型基地局（ＨｏｍｅＢＴＳ）２４から周囲に存在する携帯端末に対し通信可能な既設基地局（ＢＴＳ）の個数を通知させる。
【００５８】
この段階で、超小型基地局（ＨｏｍｅＢＴＳ）２４は既設基地局（ＢＴＳ）と通信可能な携帯端末の数が零となり、かつ自局（ＨｏｍｅＢＴＳ）２４とのみ通信可能な携帯端末の数も１個（携帯端末３３）に減少したとの情報を得ている。そこで、超小型基地局（ＨｏｍｅＢＴＳ）２４の制御部５５は、記憶部５７に自局（ＨｏｍｅＢＴＳ）２４とのみ通信可能な携帯端末の数（本実施例では“１”）を記憶する（ステップＳ１５および図２参照）。
【００５９】
次に、超小型基地局（ＨｏｍｅＢＴＳ）２４は自局（ＨｏｍｅＢＴＳ）２４とのみ通信可能な携帯端末の数が減っているか否かを調べる（ステップＳ１６）。この段階で、自局（ＨｏｍｅＢＴＳ）２４とのみ通信可能な携帯端末の数は“２”から“１”へ減少しているので、超小型基地局（ＨｏｍｅＢＴＳ）２４はセル半径を一段前に戻す（ステップＳ１９）。すなわち、セル１４のカバーエリアはセル１４ａ（図４参照）に戻される。
【００６０】
そして、超小型基地局（ＨｏｍｅＢＴＳ）２４はそのときの半径にセル半径を設定する（ステップＳ２０）。
【００６１】
次に、超小型基地局（ＨｏｍｅＢＴＳ）２４は、既設基地局（ＢＴＳ）と同様の基地局として交信を開始する（ステップＳ２１）。
【００６２】
なお、上記超小型基地局（ＨｏｍｅＢＴＳ）２４における処理は、超小型基地局（ＨｏｍｅＢＴＳ）２４内の制御部５５により実行される。
【００６３】
以上説明したように、本発明の第２実施例によれば、超小型基地局（ＨｏｍｅＢＴＳ）２４とのみ通信可能な携帯端末の一部がエリア外とならない範囲内で最低限のセル半径を自動で設定することが可能となる。これにより、現地調査等により、通話不可能地帯を予め調べる手間を省くことが可能となる。
【実施例３】
【００６４】
第３実施例はセル半径設定方法のプログラムに関するものである。第１実施例で説明したように、超小型基地局（ＨｏｍｅＢＴＳ）２４のプログラム格納部５６にはセル半径設定方法のプログラムが格納されている。そのプログラムとは図３および図５にフローチャートで示されるセル半径設定方法のプログラムである。
【００６５】
超小型基地局（ＨｏｍｅＢＴＳ）２４の制御部５５（“コンピュータ”）はプログラム格納部５６よりそのプログラムを読み出し、そのプログラムにしたがって送信部５３と、受信部５４と、記憶部５７とを制御する。その制御の内容は既に述べたので、ここでの説明は省略する。
【００６６】
以上説明したように、本発明の第３実施例によれば、セルを各環境下で超小型基地局（ＨｏｍｅＢＴＳ）２４が自動で設定するプログラムが得られる。
【図面の簡単な説明】
【００６７】
【図１】本発明に係る通信システムの第１実施例の構成図である。
【図２】本発明に係る超小型基地局（ＨｏｍｅＢＴＳ）２４の一例の構成図である。
【図３】本発明に係る通信システムの第１実施例の動作を示すフローチャートである。
【図４】本発明に係る通信システムの第２実施例の構成図である。
【図５】本発明に係る通信システムの第２実施例の動作を示すフローチャートである。
【符号の説明】
【００６８】
１、４１  通信システム
１１〜１４  セル
２１〜２３  既設基地局（ＢＴＳ）
２４  超小型基地局（ＨｏｍｅＢＴＳ）
３１〜３３  携帯端末
５１，５２  アンテナ
５３  送信部
５４  受信部
５５  制御部
５６  プログラム格納部
５７  記憶部
【図１】
2008109322.tif 000003
【図２】
2008109322.tif 000004
【図３】
2008109322.tif 000005
【図４】
2008109322.tif 000006
【図５】
2008109322.tif 000007